(57)【要約】【課題】ピックアップの寿命を長くする。【解決手段】ディスク再生装置は、ピックアップ２内に、ビームをディスク１に合焦させる対物レンズ２２と、該対物レンズ２２を通過し、ディスク１の信号面に反射されたビームを受けて電気信号に変換する受光素子２１を具えている。ピックアップ２内には、複数の対物レンズ２２、２２ａを保持するホルダ３が設けられ、該ホルダ３はディスク１の信号面に略平行な面内を回動自在に設けられている。受光素子２１は対物レンズ２２、２２ａの光透過率の低下により信号が正しく再生されるか否かを検知する信号判別回路４に繋がっている。ホルダ３は、信号判別回路４が信号が正しく再生されないことを検知した場合に、ホルダ３を回動させ、ビームに対向している対物レンズ２２以外の何れかの対物レンズ２２ａをビームに対向させる切換え手段５に繋がっている。【選択図】　　図１
2004118963.tif 000002
【特許請求の範囲】
【請求項１】
ピックアップ（２）内に、ビームをディスク（１）に合焦させる対物レンズ（２２）と、該対物レンズ（２２）を通過しディスク（１）の信号面に反射されたビームを受けて電気信号に変換する受光素子（２１）を具えたディスク再生装置に於いて、
ピックアップ（２）内には、複数の対物レンズ（２２）（２２ａ）を保持し、ディスク（１）の信号面に略平行な面内を移動又は回動自在に設けられたホルダ（３）と、該ホルダ（３）を移動又は回動させる駆動手段が設けられ、
受光素子（２１）は対物レンズ（２２）（２２ａ）の光透過率の低下により信号が正しく再生されるか否かを検知する信号判別回路（４）に繋がり、
ホルダ（３）の前記駆動手段は、信号が正しく再生されないことを信号判別回路（４）が検知した場合に、ホルダ（３）を移動又は回動させる信号を発してビームに対向している対物レンズ（２２）以外の何れかの対物レンズ（２２ａ）をビームに対向させる切換え手段（５）に繋がっていることを特徴とするディスク再生装置。
【請求項２】
駆動手段は、ホルダ（３）に連繋したモータ（Ｍ）であり、ホルダ（３）はディスク（１）の信号面に略平行な面内を回動自在に設けられ、対物レンズ（２２）（２２ａ）はホルダ（３）の回動中心Ｌから等距離に配備されている請求項１に記載のディスク再生装置。
【請求項３】
ピックアップ（２）の上面には、１つの対物レンズ（２２）からの光を通過させる透孔（１６）を開設し他の対物レンズ（２２ａ）を覆うカバー（１５）が設けられた請求項１又は２に記載のディスク再生装置。
【請求項４】
切換え手段（５）は、使用者に装置を修理すべき旨を知らせる報知手段（８０）に繋がり、ビームが何れの対物レンズ（２２）（２２ａ）を通過しても信号が正しく再生されないときは、切換え手段（５）は報知手段（８０）を作動させる請求項１乃至３の何れかに記載のディスク再生装置。
【請求項５】
ピックアップ（２）内に、ビームをディスク（１）に合焦させる対物レンズ（２２）と、該対物レンズ（２２）を通過しディスク（１）の信号面に反射されたビームを受けて電気信号に変換する受光素子（２１）を具えたディスク再生装置のディスク再生方法に於いて、
ピックアップ（２）内には、複数の対物レンズ（２２）（２２ａ）を保持するホルダ（３）が設けられ、該ホルダ（３）はディスク（１）の信号面に略平行な面内を移動又は回動自在に設けられ、
１つの対物レンズ（２２）にビームを照射して、該対物レンズ（２２）の光透過率の低下により、信号が正しく再生されるか否かを判別する工程と、
信号が正しく再生されない場合は、ホルダ（３）を移動又は回動させ、該対物レンズ（２２）以外の何れかの対物レンズ（２２ａ）をビームに対向させる工程を有するディスク再生方法。
【発明の詳細な説明】
【０００１】
【発明の属する技術分野】
本発明は、ピックアップを具えたディスク再生装置及びディスク再生方法に関するものである。
【０００２】
【従来の技術】
図９は、従来のディスク再生装置のブロック図である（例えば、特許文献１参照）。ディスク（１）は周知の如く、ターンテーブル（図示せず）により回転駆動され、ディスク半径方向に移動するピックアップ（２）によって信号面がビーム照射される。ピックアップ（２）は内部に、ダイオードから構成されてビームを発する発光素子（２０）と、該発光素子（２０）からの光を反射するミラー板（２４）を有するビームスプリッタ（２３）と、ディスク（１）に対向した対物レンズ（２２）と、ディスク（１）の信号面により反射された光を受ける受光素子（２１）を具える。発光素子（２０）からの光は、ミラー板（２４）に反射されて、ディスク（１）を照射し、ディスク（１）に反射された光は、ビームスプリッタ（２３）を通過して受光素子（２１）に入射し、電気信号に変換される。受光素子（２１）からの電気信号はＲＦ回路（４０）によって再生信号であるＲＦ信号に変換されて、ＡＳＰ（Ａｎａｌｏｇｕｅ　Ｓｉｇｎａｌ　Ｐｒｏｃｅｓｓｏｒ）（６）に送られる。
【０００３】
ＡＳＰ（６）はＲＦ信号からトラッキング信号Ｔｒと、フォーカス信号Ｆｏを生成して、両信号をサーボ回路（９）に送る。ＡＳＰ（６）は、Ａ／Ｄコンバータを内蔵して信号をデジタル変換するとともに、給電回路（６０）及びＤＳＰ（Ｄｉｇｉｔａｌ　Ｓｉｇｎａｌ　Ｐｒｏｃｅｓｓｏｒ）（７）に繋がっている。ＤＳＰ（７）は、周知の如くＥＦＭ（Ｅｉｇｈｔ　ｔｏ　ｆｏｕｒｔｅｅｎ　ｍｏｄｕｌｅ）変調及び誤り訂正を行って、Ｄ／Ａコンバータ（７０）に出力する。該Ｄ／Ａコンバータ（７０）に変換されたアナログ信号は、ＢＰＦ（バンドパスフィルタ）（図示せず）を通ってスピーカ（７１）から出力される。
前記サーボ回路（９）はトラッキング信号Ｔｒと、フォーカス信号Ｆｏを受けて、対物レンズ（２２）を上下又は左右に駆動する。給電回路（６０）は、発光素子（２０）に給電して、該発光素子（２０）は対物レンズ（２２）に向けてビームを発する。
【０００４】
【特許文献１】
特開平６−１９５９４８号（第１図）
【０００５】
【発明が解決しようとする課題】
ピックアップ（２）の長年の使用により、対物レンズ（２２）に空気中の塵や煙草の脂等が付着して、対物レンズ（２２）の光透過率が低下することがある。対物レンズ（２２）の光透過率が低下すると、発光素子（２０）から対物レンズ（２２）を通過して、ディスク（１）に達する光、及びディスク（１）に反射されて対物レンズ（２２）を通過して受光素子（２１）に達する光の光量が低下し、信号が正しく再生されないことがある。特に、対物レンズ（２２）の汚れがひどい場合には、対物レンズ（２２）を清掃するか交換する必要がある。しかし、一般使用者には対物レンズ（２２）の清掃や交換は困難であり、ピックアップ（２）の寿命を長くすれば、一般使用者に面倒を掛けることが少なくて済む。
本発明の目的は、ピックアップ（２）の寿命を長くすることにある。
【０００６】
【課題を解決する為の手段】
ピックアップ（２）内には、複数の対物レンズ（２２）（２２ａ）を保持し、ディスク（１）の信号面に略平行な面内を移動又は回動自在に設けられたホルダ（３）と、該ホルダ（３）を移動又は回動させる駆動手段が設けられ、
受光素子（２１）は対物レンズ（２２）（２２ａ）の光透過率の低下により信号が正しく再生されるか否かを検知する信号判別回路（４）に繋がり、
ホルダ（３）の駆動手段は、信号が正しく再生されないことを信号判別回路（４）が検知した場合に、ホルダ（３）を移動又は回動させる信号を発してビームに対向している対物レンズ（２２）以外の何れかの対物レンズ（２２ａ）をビームに対向させる切換え手段（５）に繋がっている。
また、切換え手段（５）は、使用者に装置を修理すべき旨を知らせる報知手段（８０）に繋がり、ビームが何れの対物レンズ（２２）（２２ａ）を通過しても信号が正しく再生されないときは、切換え手段（５）は報知手段（８０）を作動させる。
【０００７】
【作用及び効果】
ピックアップ（２）の長年の使用により、対物レンズ（２２）の光透過率が低下すれば、ディスク（１）の信号が正しく再生されない虞れがある。この場合、切換え手段（５）は、ホルダ（３）を回動させ、他の対物レンズ（２２ａ）をビームに対向させる。即ち、未使用の対物レンズ（２２ａ）にビームを照射するから、光透過率が復帰して信号が正しく再生され、ピックアップ（２）を引き続いて使用できる。即ち、ピックアップ（２）の寿命が延びる。
また、ビームが何れの対物レンズ（２２）（２２ａ）を通過しても信号が正しく再生されないときは、その旨が報知手段（８０）によって使用者に報知される。
ディスクが再生できないと、使用者は、ディスク再生装置のどの部分が故障したのか判らないのが通常である。ところが、本発明の内容では報知手段（８０）によってピックアップ（２）の寿命が経過したことが判り、使用者に無用の心配を与えることがない。
【０００８】
【発明の実施の形態】
（第１実施例）
以下、本発明の一例を図を用いて詳述する。
図１は、本例に係わるディスク再生装置（１）のブロック図である。本例にあっては、１つの対物レンズ（２２）の光透過率が低下すれば、他の対物レンズ（２２ａ）をビームに対向させ、ピックアップ（２）を引き続いて使用する点に特徴がある。
ピックアップ（２）内には、複数、具体的には２枚の対物レンズ（２２）（２２ａ）が設けられている。尚、対物レンズ（２２）（２２ａ）は２枚に限定されない。両対物レンズ（２２）（２２ａ）よりも低位置には、ビームスプリッタ（２３）が、該ビームスプリッタ（２３）の側方には発光素子（２０）が設けられている。ビームスプリッタ（２３）は透明体であって、内部に発光素子（２０）からのビームを対物レンズ（２２）に向けて反射するミラー板（２４）を設けている。発光素子（２０）からのビームは、ミラー板（２４）に反射されて対物レンズ（２２）によってディスク（１）の信号面に合焦された後に、該信号面に反射されてミラー板（２４）を通過し、ビームスプリッタ（２３）の下方に設けられた受光素子（２１）に入射する。受光素子（２１）は入射した光を電気信号に変換する。
【０００９】
受光素子（２１）からの信号は、ＲＦ回路（４０）によって再生信号であるＲＦ信号に変換されて、信号判別回路（４）に送られる。信号判別回路（４）はスレッショルドレベルを内蔵し、ＲＦ信号が一定レベル以上か否かを判断し、一定レベル以上であればＯＦＦ、一定レベル未満であればＯＮの信号を送出する。この一定レベルとは、ディスクからの信号が正しく再生できる最低のレベルであり、対物レンズ（２２）が汚れて光透過率が低下し、受光素子（２１）の出力が低下すると、ＲＦ信号は一定レベル未満となる。
信号判別回路（４）はＡＳＰ（Ａｎａｌｏｇｕｅ　Ｓｉｇｎａｌ　Ｐｒｏｃｅｓｓｏｒ）（６）及び信号判別回路（４）からのＯＮ／ＯＦＦ信号を受ける切換え手段（５）に繋がり、ＡＳＰ（６）は従来と同様に、ＲＦ信号からトラッキング信号Ｔｒと、フォーカス信号Ｆｏを生成して、両信号をサーボ回路（９）に送るとともに、Ａ／Ｄコンバータを内蔵して給電回路（６０）及びＤＳＰ（Ｄｉｇｉｔａｌ　Ｓｉｇｎａｌ　Ｐｒｏｃｅｓｓｏｒ）（７）に繋がっている。サーボ回路（９）はトラッキング信号Ｔｒと、フォーカス信号Ｆｏを受けて、対物レンズ（２２）を取り付けた後記のホルダ（３）に通電して、該ホルダ（３）を上下又は左右に駆動する。ＤＳＰ（７）からスピーカ（７１）に至るまでの動作は従来と同じである。
【００１０】
ＡＳＰ（６）は、従来と同様に、発光素子（２０）へ給電する給電回路（６０）に繋がる。前記の切換え手段（５）は、信号判別回路（４）からのＯＮ信号に基づき、ホルダ（３）を回転させ、ビームが照射する対物レンズ（２２）（２２ａ）を切り換える。
切換え手段（５）は、マイクロコンピュータ（８１）を介して、第１及び第２の報知手段（８）（８０）に繋がり、両報知手段（８）（８０）は例えば、発光ダイオード、液晶表示パネルから構成される。
【００１１】
図２は、ピックアップ（２）の平面図であり、図３は、ピックアップ（２）の内部構成を示す斜視図である。ピックアップ（２）は、周知の如く、ガイド軸（１１）（１１）に沿ってターンテーブル（１０）へ接近離間可能に設けられている。対物レンズ（２２）の中心とターンテーブル（１０）の中心を結ぶ仮想線Ｍは、ガイド軸（１１）（１１）に平行である。
ピックアップ（２）内には、上面に対物レンズ（２２）（２２ａ）を取り付けたホルダ（３）がディスク（１）の信号面に略平行な面内を回動自在に設けられている。ホルダ（３）は、周縁部に対物レンズ（２２）（２２ａ）を取り付けた上板（３１）の下面に、中空の軸体（３０）を具え、各対物レンズ（２２）（２２ａ）は軸体（３０）の周面の外方に配備されている。各対物レンズ（２２）（２２ａ）はホルダ（３）の回動中心Ｌから等距離に配備されている。
ホルダ（３）は、ピックアップ（２）の内壁に取り付けられた基板（２５）上に、微少量だけ上下及び左右移動可能に設けられ、基板（２５）の上面に設けられた圧縮バネ（２８）によって軽く上向きに付勢されて、基板（２５）から浮いている。軸体（３０）は基板（２５）上のモータ（Ｍ）により回動する。
対物レンズ（２２）（２２ａ）は、ピックアップ（２）の上面に開設された窓孔（２６）から露出し、該窓孔（２６）にはカバー（１５）が被さる。カバー（１５）には、１つの対物レンズ（２２）からの光を通過させる透孔（１６）が開設され、該透孔（１６）を通った対物レンズ（２２）からのビームがディスク（１）の信号面を照射する。他の対物レンズ（２２ａ）はカバー（１５）にて覆われ、空気中の塵等から保護される。
【００１２】
基板（２５）の下方に、前記のビームスプリッタ（２３）が位置し、ビームスプリッタ（２３）に反射された発光素子（２０）の光は、基板（２５）に開設された光通過孔（２７）及び軸体（３０）の側方を通って、透孔（１６）に対向した対物レンズ（２２）に達する。
軸体（３０）の側面上にて、高さ方向の中央部には、複数のトラッキングコイル（３２）（３２）が軸体（３０）の周方向に沿って設けられ、軸体（３０）の下端部にはフォーカスコイル（３３）が巻かれている。基板（２５）上にて軸体（３０）の側方には、軸体（３０）を挟んで一対の磁石（３４）（３４）が設けられ、両磁石（３４）（３４）間に磁場が形成される。
図４は、図３をＤ方向から見た側面図であり、カバー（１５）を省く。各磁石（３４）は、トラッキングコイル（３２）の電流が上向き又は下向きに流れる箇所（３２ａ）に対向する第１磁性片（３５）と、フォーカスコイル（３３）に対向する第２磁性片（３６）を具えている。トラッキングコイル（３２）にトラッキング信号Ｔｒを通電すると、ホルダ（３）は左右に振れ、周知の如くトラッキング調整ができる。フォーカスコイル（３３）にフォーカス信号Ｆｏを通電すると、ホルダ（３）は昇降し、周知の如くフォーカス調整ができる。尚、軸体（３０）の周面に、フォーカスコイル（３３）と、トラッキングコイル（３２）を設けた構成は、特開平９−８１９４６号、特許２８７４６４１号に開示されている。
【００１３】
図５は、軸体（３０）をＤ方向から見た断面図、図６は、図５をＣ方向から見た平面図である。対物レンズ（２２）（２２ａ）は、上板（３１）に開設された嵌め孔（３７）に挿入されて、光通過孔（２７）を通ったビームを受ける。
モータ（Ｍ）は、回転軸（５５）の先端部に棒状の磁性体（５６）を具え、ホルダ（３）の内面には、磁性体（５６）の両端部に隙間を存じて対向した鉄片（５７）（５７）が設けられている。モータ（Ｍ）が回転すると、磁性体（５６）が鉄片（５７）を吸引するから、ホルダ（３）も回転する。磁性体（５６）と鉄片（５７）の間に隙間が設けられているから、ホルダ（３）は左右振れが許される。
モータ（Ｍ）はステッピングモータであり、パルス信号を給電することにより、回転軸（５５）は一定の角度ずつ回転する。本例では、図２に示すように、２つの対物レンズ（２２）（２２ａ）は９０度ずれて設けられており、パルス信号を所定時間給電することにより、磁性体（５６）に吸引されるホルダ（３）を９０度だけ回動させることができる。これにより、ビームをディスク（１）に合焦させる対物レンズ（２２）を切り換えることができる。
【００１４】
（動作の概要）
以下に、図７のフローチャートを用いて、本発明のディスク再生装置の動作を説明する。
先ず、信号判別回路（４）は、ＲＦ信号が前記の一定レベル以上か否かを判断し（Ｓ１）、一定レベル以上であればＯＦＦ、一定レベル未満であればＯＮの信号を切換え手段（５）に送出する。切換え手段（５）は、信号判別回路（４）の信号がＯＦＦ、即ち、ディスク（１）が正しく再生されていれば、モータ（Ｍ）に通電せず、ホルダ（３）を回動させない（Ｓ２）。即ち、現在透孔（１６）に対向している対物レンズ（２２）にてビームをディスク（１）に合焦させる。
信号判別回路（４）の信号がＯＮならば、ピックアップ（２）は長年の使用により、対物レンズ（２２）が汚れ、ディスク（１）が正しく再生されていない虞れがある。この場合は、切換え手段（５）はモータ（Ｍ）にパルス信号を通電してホルダ（３）を回動させ（Ｓ３）、別の対物レンズ（２２ａ）にてビームをディスク（１）に合焦させ、信号を再生する（Ｓ４）。該対物レンズ（２２ａ）には、それまでカバー（１５）が被さっていたから、汚れ等が付着している可能性は少なく、ディスク（１）の信号は正しく再生される。即ち、１つの対物レンズ（２２）が汚れて信号が正しく再生されなくとも、次の対物レンズ（２２ａ）に切り換えて再生が続けられるから、ピックアップ（２）の寿命が長くなる。
これとともに、切換え手段（５）はマイクロコンピュータ（８１）を介して第１の報知手段（８）を作動させ、１つの対物レンズ（２２）の寿命が過ぎたことを使用者に知らせる（Ｓ５）。第１の報知手段（８）は、前記の如く、発光ダイオード、液晶表示パネル等から構成されており、発光ダイオードが点灯又は点滅し、又は液晶表示パネルに”寿命の半分が経過した”旨の表示が出る。例えば、ピックアップ（２）の使用開始から３年で第１の報知手段（８）が作動すると、使用者はピックアップ（２）の寿命が、あと３年であることが判る。
【００１５】
切換え手段（５）が、対物レンズ（２２ａ）を切り換えた後に、信号判別回路（４）は再びＲＦ信号のレベルが一定以上か否かを確認する（Ｓ６）。一定レベル以上であれば切換え手段（５）は、そのまま該対物レンズ（２２ａ）にて信号の再生を続ける（Ｓ３）。
切り換えた対物レンズ（２２ａ）からビームを照射しても、ＲＦ信号が一定レベル未満であれば、何れの対物レンズ（２２）（２２ａ）からビームを照射しても信号が正しく再生されないから、ピックアップ（２）の寿命が経過したと判断して、第２の報知手段（８０）を作動させる（Ｓ７）。
第２の報知手段（８０）は、その旨を使用者に知らせ、使用者はディスク再生装置（１）を修理又は交換する必要があることが判る。前記の如く、第２の報知手段（８０）は、発光ダイオード、液晶表示パネルから構成されており、発光ダイオードが点灯又は点滅し、又は液晶表示パネルに”修理が必要”である旨の表示が出る。ディスクが再生できないと、使用者は、ディスク再生装置のどの部分が故障したのか判らないのが通常である。本例の内容では報知手段（８０）によってピックアップ（２）の寿命が経過したことが判り、使用者に無用の心配を与えることがない。
【００１６】
（第２実施例）
上記例では、ホルダ（３）は回動するとしたが、図８に示すように、ホルダ（３）を圧縮バネ（２８）にて上向きに付勢した状態で、基板（２５）上に水平にスライド可能に設け、対物レンズ（２２）をビームスプリッタ（２３）に対向させてもよい。ホルダ（３）をスライドさせる機構としては、ホルダ（３）の上板（３１）の一端部に鉄片（５７）を設け、該鉄片（５７）をモータ（Ｍ）に連結した磁性体（５６）に吸引させる構成が考えられる。モータ（Ｍ）の回転に伴って、ホルダ（３）が水平にスライドし、ビームスプリッタ（２３）に対向した対物レンズ（２２ａ）を切り換えることができる。この場合、カバー（１５）はホルダ（３）から離れており、ホルダ（３）のみがスライドできる。尚、ＡＳＰ（６）からスピーカ（７１）に至るまでの構成は、図１と同じである。
また、対物レンズ（２２）（２２ａ）は、ディスク（１）の信号面にビームを合焦させるから、対物レンズ（２２）（２２ａ）とディスク（１）の信号面の上下距離は、正確に保つ必要がある。従って、対物レンズ（２２）（２２ａ）は、ディスク（１）の信号面に略平行な面内にて移動又は回動する必要がある。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク再生装置のブロック図である。
【図２】ピックアップの平面図である。
【図３】ピックアップの内部構成を示す斜視図である。
【図４】図３をＤ方向から見た側面図である。
【図５】軸体をＤ方向から見た断面図である。
【図６】図５をＣ方向から見た平面図である。
【図７】ディスク再生装置の動作を示すフローチャートである。
【図８】別のディスク再生装置のブロック図である。
【図９】従来のディスク再生装置のブロック図である。
【符号の説明】
（２）　　ピックアップ
（３）　　ホルダ
（４）　　信号判別回路
（５）　　切換え手段
（２１）　　受光素子
（２２）（２２ａ）　　対物レンズ
（８０）　　第２の報知手段
【図１】
2004118963.tif 000003
【図２】
2004118963.tif 000004
【図３】
2004118963.tif 000005
【図４】
2004118963.tif 000006
【図５】
2004118963.tif 000007
【図６】
2004118963.tif 000008
【図７】
2004118963.tif 000009
【図８】
2004118963.tif 000010
【図９】
2004118963.tif 000011